(57)【要約】      （修正有）【課題】耳に貫通孔を開けたり針を刺したりすることなく、装飾材や耳ツボ治療さらにはゲルマニウムや薬剤などの添着が可能な、耳用の磁石構成体を提供する。【解決手段】耳裏面側に配置される裏側磁石体２０と耳表面側に配置され前記磁石体の磁力によって吸着される金属底面部３１を有する表側部材３０とからなることを特徴とする耳用磁石構成体１０に係り、前記裏側磁石体２０が面状体とすることができ、前記金属底面部３１が前記磁石体の耳接触面と同大か又はそれより小さくすることが好ましい。また、前記裏側磁石体２０及び金属底面部の耳接触面が合成樹脂皮膜によって覆われていてもよい。前記表側部材３０は装飾材のほか無機ゲルマニウムを含むものとでき、さらに経皮吸収型薬剤を配置することもできる。【選択図】図１
2012055425.tif 000002
【特許請求の範囲】
【請求項１】
耳裏面側に配置される裏側磁石体と耳表面側に配置され前記磁石体の磁力によって吸着される金属底面部を有する表側部材とからなることを特徴とする耳用磁石構成体。
【請求項２】
前記裏側磁石体が面状体よりなる請求項１に記載の耳用磁石構成体。
【請求項３】
前記金属底面部が前記磁石体の耳接触面と同大か又はそれより小さい請求項１又は２に記載の耳用磁石構成体。
【請求項４】
前記裏側磁石体及び金属底面部の耳接触面が合成樹脂皮膜によって覆われている請求項１ないし３のいずれか１項に記載の耳用磁石構成体。
【請求項５】
前記表側部材が装飾材よりなる請求項１ないし４のいずれか１項に記載の耳用磁石構成体。
【請求項６】
前記表側部材が無機ゲルマニウムを含むものからなる請求項１ないし５のいずれか１項に記載の耳用磁石構成体。
【請求項７】
前記裏面磁石体と表側部材間の耳接触面に経皮吸収型薬剤が配置された請求項１ないし６のいずれか１項に記載の耳用磁石構成体。
【発明の詳細な説明】
【技術分野】
【０００１】
この発明は、耳（耳殻。以下同じ）に装着して用いられる磁石構成体に関する。
【背景技術】
【０００２】
人の耳はイヤリングやピアスなどの装飾具が装着される装飾性の高い人体部分あるいは器官である。と同時に、耳には東洋医学における「ツボ」が多数存在しており、このツボを刺激することによって肩こりや肥満などの症状を軽減することが行なわれている。本発明者も先に耳ツボ突刺針及びピアスの発明を提案した。
【０００３】
従来、ピアスや耳ツボの刺激は耳に貫通孔を設けて行なうことが一般的であるが、装飾ピアスに興味がある人々は格別、あらゆる人が耳に孔を開けることに抵抗がないとはいえない。装飾ピアスに興味がある人でも耳に孔を開けることを拒否する人もいる。また、耳に針を刺すのがいやで耳ツボ治療ができないこともありうる。
【先行技術文献】
【特許文献】
【０００４】
【特許文献１】特開平７−４７７号公報
【発明の概要】
【発明が解決しようとする課題】
【０００５】
本発明者はこのような状況に鑑みて、耳に貫通孔を開けたり針を刺したりすることなく、装飾材や耳ツボ治療さらにはゲルマニウムや薬剤などの添着が可能な、耳用の磁石構成体を提供することを目的とする。
【課題を解決するための手段】
【０００６】
すなわち、請求項１の発明は、耳裏面側に配置される裏側磁石体と耳表面側に配置され前記磁石体の磁力によって吸着される金属底面部を有する表側部材とからなることを特徴とする耳用磁石構成体に係る。
【０００７】
また、請求項２の発明は、前記裏側磁石体が面状体よりなる請求項１に記載の耳用磁石構成体に係る。
【０００８】
請求項３の発明は、前記金属底面部が前記磁石体の耳接触面と同大か又はそれより小さい請求項１又は２に記載の耳用磁石構成体に係る。
【０００９】
また、請求項４の発明は、前記裏側磁石体及び金属底面部の耳接触面が合成樹脂皮膜によって覆われている請求項１ないし３のいずれか１項に記載の耳用磁石構成体に係る。
【００１０】
請求項５の発明は、前記表側部材が装飾材よりなる請求項１ないし４のいずれか１項に記載の耳用磁石構成体に係る。
【００１１】
請求項６の発明は、前記表側部材が無機ゲルマニウムを含むものからなる請求項１ないし５のいずれか１項に記載の耳用磁石構成体に係る。
【００１２】
請求項７の発明は、前記裏面磁石体と表側部材間の耳接触面に経皮吸収型薬剤が配置された請求項１ないし６のいずれか１項に記載の耳用磁石構成体に係る。
【発明の効果】
【００１３】
請求項１の発明によれば、耳裏面側に配置される裏側磁石体と耳表面側に配置され前記磁石体の磁力によって吸着される金属底面部を有する表側部材とからなることを特徴とする耳用磁石構成体に係るものであるから、耳に貫通孔をを開けたり針を刺したりすることなく、装飾材や耳ツボ治療などが可能となる。
【００１４】
また、請求項２の発明によれば、請求項１において、前記裏側磁石体が面状体よりなるものとしたものであるから、前記磁石体を効果的かつ効率よく配置することができる。
【００１５】
請求項３の発明によれば、請求項１又は２において、前記金属底面部が前記磁石体の耳接触面と同大か又はそれより小さくしたものであるから、前記磁石体に対して金属底面部を有する表側部材を効果的かつ効率よく配置することができる。
【００１６】
また、請求項４の発明によれば、請求項１ないし３のいずれかにおいて、前記裏側磁石体及び金属底面部の耳接触面が合成樹脂皮膜によって覆われているものであるから、金属アレルギーを引き起こすおそれのある人に対しても安全に使用することができる。
【００１７】
請求項５の発明によれば、請求項１ないし４のいずれかにおいて、前記表側部材が装飾材よりなるものであるから、ピアスあるいはイヤリングなどとして使用することができる。
【００１８】
請求項６の発明によれば、請求項１ないし５のいずれかにおいて、前記表側部材が無機ゲルマニウムを含むものからなるものであるから、疲労回復や健康に寄与することができる。
【００１９】
請求項７の発明によれば、請求項１ないし６のいずれかにおいて、前記裏面磁石体と表側部材間の耳接触面に経皮吸収型薬剤が配置されたものであるから、経皮吸収型薬剤の配置範囲が広くなり、該薬剤使用者に便宜である。
【図面の簡単な説明】
【００２０】
【図１】この発明の耳用磁石構成体の一実施例を図示した側面図である。
【図２】図１の耳用磁石構成体の裏側磁石体及び表側部材を表す斜視図である。
【図３】裏側磁石体及び表側部材の金属底面部が合成樹脂被膜によって覆われた実施例を表す断面図である。
【図４】表側部材が耳のツボに装着される状態を表す斜視図である。
【図５】無機ゲルマニウムを含む表側部材の実施例を表す斜視図である。
【図６】同じく無機ゲルマニウムを含む表側部材の他の実施例を表す斜視図である。
【図７】裏面磁石体と表側部材間の耳接触面に経皮吸収型薬剤が配置された実施例を表す側面図である。
【図８】同じく裏面磁石体と表側部材間の耳接触面に経皮吸収型薬剤が配置された他の実施例を表す側面図である。
【発明を実施するための形態】
【００２１】
図１及び図２に図示したように、この発明は、耳Ｅの裏面側に配置される裏側磁石体２０と耳Ｅの表面側に配置される表側部材３０とからなる耳用磁石構成体１０に係り、前記表側部材３０は金属底面部３１を有することによって、前記裏側磁石体２０の磁力によって吸着され耳Ｅに装着されるものである。これにより、耳Ｅに貫通孔を開けたり針を刺したりすることなく、後述する装飾材や耳ツボ治療ができ、無機ゲルマニウムや経皮吸収型薬剤の装着が可能となる。
【００２２】
裏側磁石体２０は、耳の裏側に取付可能なものであれば従来公知のフェライト磁石、ネオジム磁石、サマコバ磁石などどのようなものでもよく、形状としても、丸型、リング型、角形、球型でもよい。なお、請求項２の発明として規定し図示したように、裏側磁石体２０を面状体より構成したときには、前記磁石体を効果的かつ効率よく配置することができる。
【００２３】
表側部材３０に形成される金属底面部３１は、前記磁石体２０の磁力によって吸着される金属体であることが必要である。金属底面部３１はできるだけ板状が好ましく、請求項３の発明として規定したように、前記金属底面部３１が前記磁石体２０の耳接触面と同大か又はそれより小さくしたものが、前記磁石体２０に対して金属底面部３１を有する表側部材３０を効果的かつ効率よく配置する上で望ましくすすめられる。
【００２４】
図３は、請求項４の発明として規定したように、前記裏側磁石体２０の耳接触面が合成樹脂皮膜２５によって覆われたもの２０Ａ、及び金属底面部３１の耳接触面が合成樹脂皮膜３５によって覆われた表側部材３０からなる耳用磁石構成体１０Ａを表す。これによって、金属アレルギーを引き起こすおそれのある人に対しても安全に使用することができる。合成樹脂被膜２５，３５は例えば公知のフッ素樹脂やシリコン樹脂などからなり、浸漬またはスプレー塗布などの公知の手法によって被膜形成がなされる。
【００２５】
図３（なお、図１及び図２も同じ）の表側部材３０Ａは、請求項５の発明として規定したように、装飾材３２よりなるものであって、ピアスあるいはイヤリングなどとして用いられるものである。
【００２６】
図４は、表側部材３０Ｂが耳ＥのツボＴに装着される状態を表す斜視図であって、対応する耳ＥのツボＴの箇所に裏側磁石体（図示省略）を配置して表側部材３０Ｂを配置すればよい。
【００２７】
図５及び図６は、請求項６の発明として規定したように、無機ゲルマニウム３３を含む表側部材３０Ｄ，３０Ｅとしたもので、無機ゲルマニウム３３により疲労回復や健康に寄与することができる。
【００２８】
図７及び図８は、請求項７の発明として規定したように、前記裏面磁石体２０と表側部材３０Ｃ間の耳接触面に経皮吸収型薬剤４０が配置されたもので、図７では経皮吸収型薬剤４０を耳Ｅの表側に、図８では耳Ｅの裏側に配置したものである。経皮吸収型薬剤４０の配置（貼付）範囲が広くなり、該薬剤使用者に便宜である。
【符号の説明】
【００２９】
１０，１０Ａ  耳用磁石構成体
２０  裏面磁石体
２５  合成樹脂被膜
３０  表側部材
３１  金属底面部
３３、３４  無機ゲルマニウム
３５  合成樹脂被膜
４０  経皮吸収型薬剤
【図１】
2012055425.tif 000003
【図２】
2012055425.tif 000004
【図３】
2012055425.tif 000005
【図４】
2012055425.tif 000006
【図５】
2012055425.tif 000007
【図６】
2012055425.tif 000008
【図７】
2012055425.tif 000009
【図８】
2012055425.tif 000010